(57)【特許請求の範囲】
【請求項１】
遠心ファン（１，１０１）と、この遠心ファン（１，１０１）の回転軸（４）に対して交差する方向に、かつ、この遠心ファン（１，１０１）に対して片側に延びている吸込み通路（２２，１２２）とを備えた遠心ファン装置において、
上記吸い込み通路（２２，１２２）内に、上記吸込み通路（２２，１２２）の奥まで気体を導く仕切りガイド部材（２３，１２３）を設け、
上記仕切りガイド部材（２３，１２３）は、上記吸込み通路（２２）内を２つまたは３以上の通路領域（Ｗ１，Ｗ２）に分け、かつ、吸い込む口（１０）を２以上の領域に分け、
１つの上記通路領域（Ｗ１）を流れる気流は、上記吸い込み口（１０）の１つの領域から吸い込まれる一方、他の１つの上記通路領域（Ｗ２）を流れる気流は、上記吸込み通路（２２）の奥まで達し、上記吸込み口（１０）の他の１つの領域から吸い込まれるようにし、かつ、複数の上記通路領域（Ｗ１，Ｗ２）を流れる気流は上記吸い込み口（１０）の各領域に吸い込まれるまでは互いに合流しないようにした
ことを特徴とする遠心ファン装置。
【請求項２】
請求項１に記載の遠心ファン装置において、上記仕切りガイド部材（２３，１２３）は、上記遠心ファン（１，１０１）の吸い込み口（１０）の吸い込み気流に予旋回を与えるように湾曲していることを特徴とする遠心ファン装置。
【発明の詳細な説明】
【０００１】
【発明の属する技術分野】
この発明は、例えば、空気調和機や加湿装置等に使用される遠心ファン装置に関する。
【０００２】
【従来の技術】
従来、この種の遠心ファン装置としては、図３，４に示すようなものがある。この遠心ファン装置は、図４に示すように、シロッコファン１と、このシロッコファン１の上側において横方向片側に延びる吸込み通路２とを備える。このシロッコファン１は、モータ３の回転軸４に固定されたロータ５をケーシング６内に配置していて、ベルマウス８から下方に空気を吸い込むようになっている。一方、上記吸込み通路２は、シロッコファン１の回転軸４に対して直交する方向に、かつ、シロッコファン１に対して右側に延びている。そして、図３，４において、吸込み通路２を矢印Ｘに示すように右側から吸い込まれた空気は、矢印Ｓ，Ｔに示すように、ベルマウス８からシロッコファン１内に吸い込まれて、矢印Ｙに示すように、排出される。
【０００３】
【発明が解決しようとする課題】
ところが、上記従来の遠心ファン装置では、吸込み通路２がシロッコファン１の回転軸４に対して直交する方向に、かつ、右側のみに延びているため、吸込み通路２を流れる空気（風）が、図３において矢印Ｓ，Ｔに示すように、ベルマウス８の内側、つまり、吸込み口１０の右側領域からシロッコファン１内に吸い込まれるが、吸込み通路２の奥つまり左端部まで風が届かなくて、吸込み口１０の左側領域から十分に空気が吸い込まれないという問題があった。このように、シロッコファン１の吸込み口１０の吸い込み風量のバランスが悪いため、騒音が大きくなって、サージングが起こりやすいという問題があった。
【０００４】
そこで、この発明の課題は、遠心ファンに対して片側に延びる吸込み通路から気体を吸い込んでも、吸込み口の吸い込み風量のバランスがよくて、騒音を低減でき、かつ、風量を増大でき、かつ、サージングが起こりにくい遠心ファン装置を提供することである。
【０００５】
【課題を解決するための手段】
上記課題を解決するため、請求項１の発明の遠心ファン装置は、
遠心ファンと、この遠心ファンの回転軸に対して交差する方向に、かつ、この遠心ファンに対して片側に延びている吸込み通路とを備えた遠心ファン装置において、
上記吸い込み通路内に、上記吸込み通路の奥まで気体を導く仕切りガイド部材を設け、
上記仕切りガイド部材は、上記吸込み通路内を２つまたは３以上の通路領域に分け、かつ、吸い込む口を２以上の領域に分け、
１つの上記通路領域を流れる気流は、上記吸い込み口の１つの領域から吸い込まれる一方、他の１つの上記通路領域を流れる気流は、上記吸込み通路の奥まで達し、上記吸込み口の他の１つの領域から吸い込まれるようにし、かつ、複数の上記通路領域（Ｗ１，Ｗ２）を流れる気流は上記吸い込み口の各領域に吸い込まれるまでは互いに合流しないようにした
ことを特徴としている。
【０００６】
上記構成によれば、上記吸込み通路を流れる気体は、仕切りガイド部材によって吸込み通路の奥まで導かれる。したがって、上記遠心ファンは、吸込み通路の奥の領域からも十分に気体を吸い込むことができて、吸込み口の全領域からバランスよく気体を吸い込むことができる。したがって、騒音を低減でき、かつ、風量を増大でき、かつ、サージングに対する耐力を向上できる（サージングが起こりにくくできる）。
【０００７】
請求項２の発明の遠心ファン装置は、請求項１に記載の遠心ファン装置において、上記仕切りガイド部材は、上記遠心ファンの吸い込み口の吸い込み気流に予旋回を与えるように湾曲していることを特徴としている。
【０００８】
上記構成によれば、吸込み通路を流れて遠心ファンに吸い込まれる吸い込み気流は、仕切りガイド部材の湾曲している部分によって、予旋回が与えられる。したがって、遠心ファンの効率が向上して、風量が増大する。
【００１１】
【発明の実施の形態】
この実施の形態の遠心ファン装置は、図１，２に示すように、吸込み通路２２の構成のみが、図３，４に示す遠心ファン装置と異なる。したがって、図３，４に示す従来例の構成部と同一構成部は同一参照番号を付して説明を省略し、あるいは、簡単に説明し、異なる構成部のみを詳細に説明する。
【００１２】
上記吸込み通路２２は、図２に示すように、遠心ファンの一例としてのシロッコファン１の上側に配置している。この吸込み通路２２は、シロッコファン１の回転軸４に対して直交する方向に右側のみに延びている。
【００１３】
上記吸込み通路２２内には、図１，２に示すように、湾曲した仕切りガイド部材２３を設けて、吸込み通路２２内を２つの通路領域Ｗ１，Ｗ２に分けている。上記通路領域Ｗ１は、上記シロッコファン１の最大仕事領域（図１でＭで示す所定の大きな仕事領域）Ｍに対応する部分の大部分を含み、かつ、ベルマウス８の内側の吸込み口１０の図１において右側の大部分と下側の大部分に対向する領域を含んでいる。一方、上記通路領域Ｗ２は、上記吸込み通路２２内の奥（図１，２において左端）に達していて、図１，２において矢印Ｘに示すように右側から送られてきた気流を吸込み通路２２の奥つまり左端まで導き、さらに、図１において下側に導く。
【００１４】
上記仕切りガイド部材２３の湾曲部２３ａは、シロッコファン１の吸込み口１０に吸い込まれる気流に、矢印Ｓ，Ｖ，Ｕ，Ｔに示すように、シロッコファン１のロータ５が気流に与える旋回方向と同じ方向の予旋回を与えて、効率を向上させて、風量を向上させている。
【００１５】
上記構成の遠心ファン装置において、吸込み通路２２内を矢印Ｘに示すように流れてくる気流は、仕切りガイド部材２３によって分けられた２つの通路領域Ｗ１，Ｗ２を流れる。この通路領域Ｗ１を流れる気流は、吸込み口１０の図１において右側と下側の大部分の領域から矢印Ｔ，Ｕに示すように吸い込まれる一方、通路領域Ｗ２を流れる気流は、吸込み通路２２の奥まで達し、吸込み口１０の図１において左側および上側の大部分の領域から矢印Ｓ，Ｖに示すように吸い込まれる。したがって、上記シロッコファン１は、吸込み通路２２の奥の領域からも十分に気体を吸い込むことができて、吸込み口１０の全領域からバランスよく気体を吸い込むことができる。したがって、騒音を低減でき、かつ、風量を増大でき、かつ、サージングを起こりにくくできる。
【００１６】
さらに、上記吸込み通路２２の通路領域Ｗ１，Ｗ２を流れてシロッコファン１の吸込み口１０に吸い込まれる吸い込み気流は、矢印Ｓ，Ｔ，Ｕ，Ｖに示すように、仕切りガイド部材２３の湾曲部分２３ａによって、予旋回が与えられる。したがって、シロッコファン１の効率が向上して、風量が増大する。
【００１７】
さらにまた、上記仕切りガイド部材２３の湾曲部２３ａはシロッコファン１の最大仕事領域Ｍの大部分に対応する領域を囲むように湾曲しているので、最大仕事領域Ｍに特に有効な予旋回流れが作られる。したがって、さらに、シロッコファン１の効率を向上して、風量を増大できる。
【００１８】
図５、６は他の実施の形態を示す。この実施の形態では、シロッコファン１０１が先の実施の形態のシロッコファン１とは逆方向に回転すると共に、仕切りガイド部材１２３が先の実施の形態の仕切りガイド部材２３とは反対方向に湾曲している。
【００１９】
上記構成の遠心ファン装置において、吸込み通路１２２内を矢印Ｘに示すように流れてくる気流は、仕切りガイド部材１２３によって分けられた２つの通路領域Ｗ１，Ｗ２を流れる。この通路領域Ｗ２を流れる気流は、吸込み口１０の図５において右側と上側の領域から矢印Ｓ，Ｖに示すように吸い込まれる一方、通路領域Ｗ１を流れる気流は、吸込み通路２２の奥まで達し、吸込み口１０の図５において左側および下側の領域から矢印Ｕ，Ｔに示すように吸い込まれる。したがって、上記シロッコファン１０１は、吸込み通路１２２の奥の領域からも十分に気体を吸い込むことができて、吸込み口１０の全領域からバランスよく気体を吸い込むことができる。したがって、騒音を低減でき、かつ、風量を増大でき、かつ、サージングを起こりにくくできる。
【００２０】
さらに、上記吸込み通路１２２の通路領域Ｗ１，Ｗ２を流れてシロッコファン１０１の吸込み口１０に吸い込まれる吸い込み気流は、矢印Ｓ，Ｖ，Ｕ，Ｔに示すように、仕切りガイド部材１２３の湾曲部分によって、予旋回が与えられる。したがって、シロッコファン１０１の効率が向上して、風量が増大する。
【００２１】
上記実施の形態では、仕切りガイド部材２３を一個設けたが、複数個設けて、吸込み通路内を３以上の通路領域に分けて、吸込み通路の奥まで気流が到達できるようにしてもよい。
【００２２】
また、上記実施の形態では、吸込み通路２３，１２３はシロッコファン１，１０１の回転軸４に直交する方向の片側に延びていたが、吸込み通路は回転軸に斜め方向に交差する方向、かつ、どちらかの片側に延びていてもよい。
【００２３】
また、上記実施の形態では、遠心ファン装置の遠心ファンとして、シロッコファン１，１０１を用いたが、遠心ファンはシロッコファンに限らないことは勿論である。
【００２４】
【発明の効果】
以上より明らかなように、請求項１の発明によれば、遠心ファンの回転軸に交差する方向の片側に延びている吸い込み通路内に、その吸込み通路の奥まで気体を導く仕切りガイド部材を設けているので、遠心ファンは、吸込み通路の奥の領域からも十分に気体を吸い込むことができて、吸込み口の全領域からバランスよく気体を吸い込むことができ、したがって、騒音を低減でき、かつ、風量を増大でき、かつ、サージングに対する耐力を向上できる。
【００２５】
請求項２の発明によれば、吸込み通路を流れて遠心ファンに吸い込まれる吸い込み気流に、仕切りガイド部材の湾曲している部分によって、予旋回を与えるので、遠心ファンの効率を向上して、風量を増大できる。
【図面の簡単な説明】
【図１】この発明の実施の形態の遠心ファン装置を吸込み通路の箇所で切断した横断面図である。
【図２】上記実施の形態の遠心ファン装置の縦断面図である。
【図３】従来の遠心ファン装置を吸込み通路の箇所で切断した横断面図である。
【図４】上記従来の遠心ファン装置の縦断面図である。
【図５】この発明の他の実施の形態の遠心ファン装置を吸込み通路の箇所で切断した横断面図である。
【図６】上記実施の形態の遠心ファン装置の縦断面図である。
【符号の説明】
１，１０１      シロッコファン
４      回転軸
１０    吸込み口
２２，１２２    吸込み通路
２３，１２３    仕切りガイド部材
２３ａ  湾曲部
Ｍ      最大仕事領域
【図１】
0003582469.tif 000002
【図２】
0003582469.tif 000003
【図３】
0003582469.tif 000004
【図４】
0003582469.tif 000005
【図５】
0003582469.tif 000006
【図６】
0003582469.tif 000007